(57)【要約】      （修正有）【課題】簡単な構造で、汎用性に優れる電気弦楽器の出力増大器を提供する。【解決手段】電気弦楽器における永久磁石製の複数のポールピース１７とピックアップコイル１８とを有するピックアップ８の出力を増大させる出力増大器２０は、非磁性体製の薄板状の基板２１と、複数のポールピース１７のうちの１又は複数のポールピース１７に対応するような配列で基板２１に装着された１又は複数の永久磁石片２２であって、磁界の方向を基板２１の板厚方向へ向け且つ極性を揃えた１又は複数の永久磁石片２２とを備え、各永久磁石片２２は基板２１の表面と裏面から夫々突出する状態にして基板２１の装着孔に装着され、１又は複数の永久磁石片２２を１又は複数のポールピース１７の裏面に磁力で夫々吸着させることで、ピックアップ８に装着可能に構成する。【選択図】図３
0003197962.tif 000002
【実用新案登録請求の範囲】
【請求項１】
電気弦楽器における永久磁石製の複数のポールピースとピックアップコイルとを有するピックアップの出力を増大させる出力増大器において、
非磁性体製の薄板状の基板と、
前記複数のポールピースのうちの１又は複数のポールピースに対応するような配列で前記基板に装着された１又は複数の永久磁石片であって、磁界の方向を前記基板の板厚方向へ向け且つ極性を揃えた１又は複数の永久磁石片とを備え、
各永久磁石片は前記基板の表面と裏面から夫々突出する状態にして基板の装着孔に装着され、前記１又は複数の永久磁石片を１又は複数のポールピースの裏面に磁力で夫々吸着させることで、前記ピックアップに装着可能に構成したことを特徴とする電気弦楽器の出力増大器。
【請求項２】
電気弦楽器における磁性体製の複数のポールピースとこれらポールピースの裏面に接触状に装着されたバー状永久磁石とピックアップコイルとを有するピックアップの出力を増大させる出力増大器において、
非磁性体製の薄板状の基板と、
前記複数のポールピースのうちの１又は複数のポールピースに対応するような配列で前記基板に装着された１又は複数の永久磁石片であって、磁界の方向を前記基板の板厚方向へ向け且つ極性を揃えた１又は複数の永久磁石片とを備え、
各永久磁石片は前記基板の表面と裏面から夫々突出する状態にして基板の装着孔に装着され、前記１又は複数の永久磁石片をバー状永久磁石の裏面に磁力で夫々吸着させることで、前記ピックアップに装着可能に構成したことを特徴とする電気弦楽器の出力増大器。
【請求項３】
前記永久磁石片は直径８ｍｍ以下で厚さ５ｍｍ以下の円柱体に構成されたことを特徴とする請求項１又は２に記載の電気弦楽器の出力増大器。
【請求項４】
複数の永久磁石片の配列ピッチは１０ｍｍ〜１１．５ｍｍに設定されていることを特徴とする請求項１〜３の何れか１項に記載の電気弦楽器の出力増大器。
【請求項５】
前記永久磁石片は、フェライト磁石とアルニコ磁石とネオジウム磁石のうちの何れかの磁石で構成されていることを特徴とする請求項１〜４の何れか１項に記載の電気弦楽器の出力増大器。
【請求項６】
前記電気弦楽器は、エレクトリックギター、エレクトリックベースギター、マンドリン、バンジョウの何れかであることを特徴とする請求項１〜３の何れかに記載の電気弦楽器の出力増大器。
【考案の詳細な説明】
【技術分野】
【０００１】
本考案は、エレクトリックギター、エレクトリックベースギター、マンドリン、バンジョー等の電気弦楽器のピックアップ用の出力増大器に関する。
【背景技術】
【０００２】
前記のような電気弦楽器においては、1又は複数のマグネットとピックアップコイルからなるピックアップにより、その弦振動を電気信号として取り出し、拡声装置により増幅して演奏する。そのため、ピックアップの出力レベルや周波数特性は非常に重要な要素である。
【０００３】
前記のような電気弦楽器では、経年使用により、その楽器としての音響特性は、より演奏に適したコンディションになる。しかし、マグネットとピックアップコイルからなるピックアップおいては、保管の状態などにより、経年変化と共にマグネットの磁力が弱まり、出力レベルが低下することがある。
【０００４】
ピックアップの出力レベルを増大させる方法として、ピックアップの取り付け構造部分を調整し、ピックアップとスチール弦との位置を近付ける方法があるが、弦とピックアップの位置が近すぎると演奏に支障をきたす。
【０００５】
また、マグネットの磁力が低下した電磁ピックップでは、出力レベルだけでなく、出力する信号の周波数特性も変化し、楽器としての音の表現が十分にできなくなる場合がある。その場合はピックアップを新しいものに交換することも考えられるが、経年使用されたような古い楽器では、その楽器が製造された時代の音を再現できなかったり、交換により楽器としての価値が下がったりするという問題があった。
【０００６】
さらに、スチール弦の支点に近い位置では弦の振幅が小さく、ピックップを取り付けた場合には、出力レベルが小さめで高音域の周波数の信号が相対的に強くなり、弦の中心付近では弦の振幅が大きく、ピックアップを取り付けた場合には、出力レベルが大きめで低音域の周波数の信号が相対的に強くなることを利用し、エレクトリックギター、エレクトリックベースなどでは、位置を変えてピックアップを複数取り付け、その出力を切り替えたり、混合したりすることによって出力特性を変化させ、拡声器から出る音に変化を付けて演奏するものがある。その場合、ピックアップの取り付け位置によって出力レベルが大きく違い、出力レベルの調整が難しい場合があるという問題があった。
【０００７】
特許文献１には、弦楽器用のピックアップのための信号修正装置が開示されている。
この信号修正装置は、磁界の方向をポールピースと平行方向に向けたシート状の永久磁石板を枠状の装着手段によりピックアップの表面部に装着するように構成してある。これは、永久磁石板によりピックアップの磁界を強化することで、ピックアップの出力性能を向上させている。
【先行技術文献】
【特許文献】
【０００８】
【特許文献１】特開平７−７２８７０号公報
【考案の概要】
【考案が解決しようとする課題】
【０００９】
前記特許文献１の電気弦楽器用のピックアップのための信号修正装置においては、シート状の永久磁石板が一体品であって、複数のポールピースに共通に適用されるものであるため、複数のスチール弦に対する磁界を一律に強化するようになっている。そのため、選択した１又は複数のスチール弦に対応する１又は複数のポールピースの磁界を選択的に強化することが難しい。
【００１０】
また、ピックアップのポールピースの極性が一定とは限らないため、シート状の永久磁石板の極性を異ならせた２種類の信号修正装置が必要であり、ユーザーは自分の電気弦楽器に適合する信号修正装置を２種類の中から選択することになるため、汎用性に欠ける。
【００１１】
また、この信号修正装置は、ピックアップの表面部に枠状の装着手段により装着されるため、枠状の装着手段が必要であること、ピックアップの外観の意匠が損なわれること、演奏時の操作性が低下する虞があること、等の問題もある。
本考案の目的は、電気弦楽器のピックアップの出力を増大させつつ、出力特性に変化を与えることができる出力増大器を提供することである。
【課題を解決するための手段】
【００１２】
請求項１の電気弦楽器の出力増大器は、電気弦楽器における永久磁石製の複数のポールピースとピックアップコイルとを有するピックアップの出力を増大させる出力増大器において、非磁性体製の薄板状の基板と、前記複数のポールピースのうちの１又は複数のポールピースに対応するような配列で前記基板に装着された１又は複数の永久磁石片であって、磁界の方向を前記基板の板厚方向へ向け且つ極性を揃えた１又は複数の永久磁石片とを備え、各永久磁石片は前記基板の表面と裏面から夫々突出する状態にして基板の装着孔に装着され、前記１又は複数の永久磁石片を１又は複数のポールピースの裏面に磁力で夫々吸着させることで、ピックアップに装着可能に構成したことを特徴としている。
【００１３】
請求項２の電気弦楽器の出力増大器は、電気弦楽器における磁性体製の複数のポールピースとこれらポールピースの裏面に接触状に装着されたバー状永久磁石とピックアップコイルとを有するピックアップの出力を増大させる出力増大器において、非磁性体製の薄板状の基板と、前記複数のポールピースのうちの１又は複数のポールピースに対応するような配列で前記基板に装着された１又は複数の永久磁石片であって、磁界の方向を前記基板の板厚方向へ向け且つ極性を揃えた１又は複数の永久磁石片とを備え、各永久磁石片は前記基板の表面と裏面から夫々突出する状態にして基板の装着孔に装着され、前記１又は複数の永久磁石片をバー状永久磁石の裏面に磁力で夫々吸着させることで、前記ピックアップに装着可能に構成したことを特徴としている。
【００１４】
請求項３の電気弦楽器の出力増大器は、請求項１の考案において、前記永久磁石片は直径８ｍｍ以下で厚さ５ｍｍ以下の円柱体に構成されたことを特徴としている。
【００１５】
請求項４の電気弦楽器の出力増大器は、請求項１〜３の何れか１項の考案において、複数の永久磁石片の配列ピッチは１０ｍｍ〜１１．５ｍｍに設定されていることを特徴としている
【００１６】
請求項５の電気弦楽器の出力増大器は、請求項１〜４の何れか１項の考案において、前記永久磁石片は、フェライト磁石とアルニコ磁石とネオジウム磁石のうちの何れかの磁石で構成されていることを特徴としている。
【００１７】
請求項６の電気弦楽器の出力増大器は、請求項１〜３の何れか１項の考案において、前記電気弦楽器は、エレクトリックギター、エレクトリックベースギター、マンドリン、バンジョウの何れかであることを特徴としている。
【考案の効果】
【００１８】
本願の考案は、課題解決手段の欄に記載した構成を有するため次の効果を奏する。
請求項１の電気弦楽器の出力増大器によれば、複数のポールピースのうちの１又は複数のポールピースに対応する配列で１又は複数の永久磁石片を設けるため、選択された１又は複数のポールピースで発生させる磁界を選択的に強化することができる。
【００１９】
各永久磁石片は基板の表面と裏面から夫々突出する状態にして基板の装着孔に装着されるため、ピックアップのポールピースの極性に応じて、基板の表面側をピックアップに対面させて吸着させたり、基板の裏面側を電磁ピックアップに対面させて吸着させたりすることができるため、汎用性に優れる。また、複数の永久磁石片のうちのユーザーが希望しない永久磁石片を基板から簡単に取り外すことができるので、さらに汎用性に優れる。
【００２０】
出力増大器は基板と１又は複数の永久磁石片とで構成されるため、構造が簡単で安価に製作することができる。しかも、１又は複数の永久磁石片を１又は複数のポールピースの裏面に磁力で夫々吸着させるため、特別の取り付け手段が必要なく、ピックアップの外観に影響を及ぼすことがなく、演奏時の操作性が低下する虞もない。
【００２１】
請求項２の考案によれば、請求項１と同様の効果が得られる。
請求項３の考案によれば、前記永久磁石片は直径８ｍｍ以下で厚さ５ｍｍ以下の円柱体に構成されているため、永久磁石片の直径がポールピースとほぼ同径になるため、各永久磁石片を１つのポールピースに対応付けることができる。
【００２２】
請求項４の考案によれば、複数の永久磁石片の配列ピッチは１０ｍｍ〜１１．５ｍｍに設定されているため、複数の永久磁石片が複数のポールピースに対応する配列にすることができる。
【００２３】
請求項５の考案によれば、前記永久磁石片は、フェライト磁石とアルニコ磁石とネオジウム磁石の何れかの磁石で構成されているため、小型の電気弦楽器の出力増大器を実現することができる。
【００２４】
請求項６の考案によれば、前記電気弦楽器は、エレクトリックギター、エレクトリックベースギター、マンドリン、バンジョウの何れかであるため、これらの電気弦楽器の出力増大器として適用可能で、汎用性に優れる。
【図面の簡単な説明】
【００２５】
【図１】本考案の発明の実施例に係るエレクトリックギターの平面図である。
【図２】（ａ）は実施例１のピックアップの平面図、（ｂ）は同ピックアップの側面図である。
【図３】図２のピックアップとその裏面に装着した出力増大器の側面図である。
【図４】（ａ）は前記出力増大器の平面図、（ｂ）は同出力増大器の側面図である。
【図５】実施例２のピックアップの側面図である。
【図６】図５のピックアップとその裏面に装着した出力増大器の側面図である。
【図７】実施例３に係るピックアップとその裏面に装着した出力増大器の側面図である。
【図８】（ａ）は図７の出力増大器の平面図、（ｂ）は同出力増大器の側面図である。
【図９】（ａ）は別の出力増大器の平面図、（ｂ）は同出力増大器の側面図である。
【図１０】（ａ）は別の出力増大器の平面図、（ｂ）は同出力増大器の側面図である。
【図１１】実施例４に係る出力増大器の平面図、（ｂ）は同出力増大器の側面図である。
【図１２】実施例５に係るエレクトリックベースギターの平面図である。
【図１３】（ａ）は図１２のギターのピックアップに適用する出力増大器の平面図、（ｂ）は同出力増大器の側面図である。
【図１４】（ａ）は実施例５の変更例に係る出力増大器の平面図、（ｂ）は同出力増大器の側面図である。
【考案を実施するための形態】
【００２６】
以下、本考案を実施するための形態について実施例に基づいて説明する。
【実施例１】
【００２７】
最初に、実施例１について図１〜図４に基づいて説明する。  
図１に示すように、エレクトリックギター１（以下、エレキギターという）は、１種の電気弦楽器であり、ボディ２と、ネック３と、ヘッド４とを有し、ボディ２にはピックガード５と、ブリッジ６と、ピックアップ７〜９と、コントロール類１０等が装備されている。
【００２８】
ネック３には複数のフレット１１と複数のポジションマーク１２が設けられ、ヘッド３には６組のペグ１３が装備され、これら６組のペグ１３からブリッジ６まで６本のスチール弦１４が張架されている。ピックアップ７〜９の下部側の大部分は、ボディ２に形成された取付け凹部に収容され、１対のビスにて取付け凹部の底壁に固定されている。
【００２９】
図２に示すように、ピックアップ７〜９の代表であるピックアップ８を例にして説明すると、ピックアップ８は、上面板１５と下面板１６とに保持された永久磁石からなる６つのポールピース１７と、これらポールピース１７の外周側に巻装されたピックアップコイル１８とを有する。ポールピース１７の裏面（基端面）は、下面板１６の裏面と同一面をなし、ポールピース１７の上端部は上面板１５から僅かに突出している。ポールピース１７の直径ｄは例えば５ｍｍであり、配列ピッチｐは例えば１０〜１１．５ｍｍである。
【００３０】
図３に示すように、上記のピックアップ８の裏面側に本考案に係る電気弦楽器の出力増大器２０が装着される。この出力増大器２０は、電気弦楽器（本実施例ではエレキギター）における永久磁石製の複数（本実施例では６つ）のポールピース１７とピックアップコイル１８とを有するピックアップ８の出力を増大させるものである。
この出力増大器２０は、非磁性体製の薄板状の基板２１と、複数のポールピース１７に対応するような配列で基板２１に装着された複数（本実施例では６つ）の永久磁石片２２であって、磁界の方向を基板２１の板厚方向へ向け且つ極性を揃えた複数の永久磁石片２２とを備えている。
【００３１】
図３、図４に示すように、各永久磁石片２２は基板２１の表面と裏面から夫々突出する状態にして基板２１の装着孔２１ａに装着され、複数の永久磁石片２２を複数のポールピース１７の裏面に磁力で夫々吸着させることで、ピックアップ８に装着可能に構成してある。基板２１は、非磁性体材料で例えば厚さ１．０〜２．０ｍｍの薄板状（本実施例の基板２１の厚さは２．０ｍｍ）に構成されている。本実施例では、バルカナイズドファイバー製の基板２１を採用しているが、合成樹脂、非磁性金属材料（例えばアルミニウムやマグネシウム等）、木材等の材料で基板２１を製作してもよい。
【００３２】
基板２１には、複数の永久磁石２２を装着するための複数の円形の装着孔２１ａが貫通状に形成されている。装着孔２１ａの直径は永久磁石片２２を圧入で嵌合させるのに適したサイズにする。永久磁石片２２は、フェライト磁石、アルニコ磁石、ネオジウム磁石、又はその他の永久磁石のうちの何れかの磁石で構成することができるが、本実施例の場合、ネオジウム磁石からなる永久磁石片２２が採用されている。
【００３３】
永久磁石片２２の直径は８．０ｍｍ以下で厚さ５ｍｍ以下の円柱体に構成されている。  永久磁石片２２の直径は、好ましくは３．０〜８．０ｍｍとするが、本実施例の永久磁石片２２の直径は５．０ｍｍである。永久磁石片２２の厚さは、基板２１の厚さｔよりも１．０ｍｍ〜２．０ｍｍ位大きいことが望ましい。本実施例の永久磁石片２２の厚さは３．０ｍｍである。複数の永久磁石片２２の配列ピッチは１０ｍｍ〜１１．５ｍｍに設定することが望ましいが、本実施例では配列ピッチを１０．５ｍｍに設定している。
【００３４】
複数の永久磁石片２２は、磁界の方向を基板２１の板厚方向へ向け且つ極性を揃えた状態で基板２１に圧入にて装着されている。但し、圧入と接着を併用して装着してもよい。
尚、圧入の場合には、必要に応じて永久磁石片２２を基板２１から強制的に取り外し可能になっている。永久磁石片２２の極性は、基板２１の表面側がＮ極、基板２１の裏面側がＳ極である。但し、この極性と反対の極性でもよい。
【００３５】
図３に示すように、出力増大器２０は、複数の永久磁石片２２をピックアップ８の複数のポールピース１７の裏面に磁力により夫々吸着させることで、ピックアップ８に装着されている。つまり、ポールピース１７の磁界の方向と、永久磁石片２２の磁界の方向とが一致する状態にして装着されることになる。
【００３６】
次に、上記の電気弦楽器の出力増大器２０の作用、効果について説明する。
このエレキギター１は、長年使用して来て、ピックアップ７〜９の出力性能が低下しているものである。そのエレキギター１の少なくとも１つのピックアップ８に図３に示すように出力増大器２０を装着した場合、ピックアップ８の各ポールピース１７に永久磁石片２２が吸着されて、各ポールピース１７で発生する磁界が永久磁石片２２により強化されるため、ピックアップ８の出力が増大し、出力性能が改善され、出力特性に変化を与えることができる。
【００３７】
尚、この実施例ではピックアップ８に出力増大器２０を装着する場合を例にして説明したが、３つのピックアップ７〜９のうちの何れか１つのピックアップ、又は何れか２つのピックアップ、又は全部のピックアップ７〜９に出力増大器２０を装着してもよい。
【００３８】
ここで、ピックアップ８の出力低下が著しい場合は、強力な磁界を発生可能な例えば、ネオジニウム磁石等の永久磁石片２２を組み込んだ出力増大器２０をピックアップ８に装着する。ピックアップ８の出力低下が重度と軽度の中間程度の場合は、強力な磁界よりも弱い適度な磁界を発生可能なアルニコ磁石等の永久磁石片２２を組み込んだ出力増大器２０をピックアップ８に装着する。ピックアップ８の出力低下が軽度の場合は、フェライト磁石等の永久磁石片２２を組み込んだ出力増大器２０をピックアップ８に装着する。
【００３９】
磁石材料や直径や厚さ等の異なる複数種類の永久磁石片２２であって磁界の強度の異なる複数種類の永久磁石片２２を組み込んだ複数種類の出力増大器２０を準備しておき、エレキギター１のピックアップ８の出力性能の低下に応じた出力増大器２０を採用することがのぞましい。
【００４０】
尚、厚さの小さな永久磁石片２２を組み込んだ厚さの小さな出力増大器２０を、ピックアップ８の出力性能の低下の程度に応じて、２枚又は３枚直列接続状態に装着することも可能である。尚、ユーザーの希望する音域の出力性能だけを増大させたい場合には、出力増大器２０におけるユーザーが希望しない永久磁石片２２を取り外すことができる。
【００４１】
各永久磁石片２２は基板２１の表面と裏面から夫々突出する状態にして基板２１の装着孔２１ａに装着されるため、ピックアップ８のポールピース１７の極性に応じて、基板２１の表面側をピックアップ８に対面させて吸着させたり、基板２１の裏面側を電磁ピックアップ８に対面させて吸着させたりすることができるため、汎用性に優れる。また、複数の永久磁石片２２のうちの不要の永久磁石片２２を基板２１から取り外しても使用可能であるので、さらに汎用性に優れる。
【００４２】
出力増大器２０は基板２１と複数の永久磁石片２２とで構成されるため、構造が簡単で安価に製作可能である。しかも、複数の永久磁石片２２を複数のポールピース１７の裏面に磁力で夫々吸着させるため、特別の取り付け手段が必要なく、ピックアップ８の外観に影響を及ぼすことがなく、演奏時の操作性が低下する虞もない。
【実施例２】
【００４３】
実施例２のピックアップ８Ａと出力増大器２０について図５、図６に基づいて説明する。但し、実施例１と同様の構成要素に同一符号を付して説明を省略し、異なる構成についてのみ説明する。このピックアップ８Ａにおける複数のポールピース１７Ａは磁性体製のポールピースであり、このピックアップ８Ａは、その裏面に接触状に装着されたバー状永久磁石２３を備えている。
【００４４】
出力増大器２０の構成自体は、実施例１の出力増大器２０と同じであるが、この出力増大器２０は、複数の永久磁石片２２をバー状永久磁石２３の裏面に磁力で夫々吸着させることで、ピックアップ８Ａに装着するように構成されている。この出力増大器２０の作用、効果については実施例１と同様であるので説明を省略する。
【実施例３】
【００４５】
実施例３のピックアップ８と出力増大器２０Ａ，２０Ｂ，２０Ｃについて図７〜図１０に基づいて説明する。但し、実施例１と同様の構成要素に同一符号を付して説明を省略し、異なる構成についてのみ説明する。
【００４６】
出力増大器として、基板２１Ａに３個の永久磁石片２２を組み込んだ３型出力増大器２０Ａ（図８参照）と、基板２１Ｂに２個の永久磁石片２２を組み込んだ２型出力増大器２０Ｂ（図９参照）と、基板２１Ｃに１個の永久磁石片２２を組み込んだ１型出力増大器２０Ｃ（図１０参照）とが採用される。基板２１Ａ〜２１Ｃは、それらの長さ及び装着孔２１ａの数以外は実施例１の基板２１と同様のものであり、永久磁石片２２も実施例１の永久磁石片２２と同様のものである。
【００４７】
エレキギター１における６つのポールピース１７のうちの連続的に配列された３つのポールピース１７の出力性能を改善したい場合は、３型出力増大器２０Ａを採用し、６つのポールピース１７のうちの連続的に配列された２つのポールピース１７の出力性能を改善したい場合は、２型出力増大器２０Ｂを採用し、６つのポールピース１７のうちの１つのポールピース１７の出力性能を改善したい場合は、１型出力増大器２０Ｃを採用する。
【実施例４】
【００４８】
実施例４の出力増大器２０Ｄについて図１１に基づいて説明する。
この出力増大器２０Ｄは、エレクトリック・プレシジョン・ベースギターのピックアップ（図示略）に装着するものである。このギターのピックアップは、４つのポールピースを備えた２つのピックアップであって、近接的に並設配置される２つのピックアップで構成される。
【００４９】
それ故、出力増大器２０Ｄは、４つのポールピースに対応するように配列した４つの永久磁石片２２を基板２１Ｄに組み込んだ構成のものである。基板２１Ｄは、実施例１の基板２１の長さを短縮し、４つの装着孔２１ａを形成したものと同様のものであり、永久磁石片２２は実施例１の永久磁石片２２と同様のものである。この出力増大器２０Ｄの作用、効果も実施例１と同様である。
【実施例５】
【００５０】
実施例５のエレクトリックベースギター１Ｅとピックアップ７Ｅ，８Ｅと電気弦楽器の出力増大器２０Ｅについて図１２、図１３に基づいて説明する。但し、実施例１と同様の構成要素に同一符号を付して説明を省略し、異なる構成についてのみ説明する。
エレクトリックベースギター１Ｅは４つのスチール弦１４Ｅを有し、ピックアップ７Ｅ，８Ｅには４対のポールピース１７Ｅが装備されている。
【００５１】
図１３に示すように、出力増大器２０Ｅは、例えばピックアップ８Ｅの４対のポールピース１７Ｅに対応する配列にて４対の永久磁石片２２が基板２１Ｅに装着されている。その他の構成については、実施例１と同様である。
【００５２】
上記の出力増大器２０Ｅの代わりに、図１４に示す１又は複数の出力増大器２０Ｆを採用することができる。この出力増大器２０Ｆは、ピックアップ８Ｅにおける任意の対のポールピース１７Ｅに装着可能に構成されている。そのため、出力増大器２０Ｆの基板２１Ｆの長さＢは、ピックアップ８Ｅにおける１対分のポールピース１７Ｅに対応する基板２１Ｅの長さＡよりも僅かに短く設定されている。
【００５３】
次に、前記実施例を部分的に変更する例について説明する。
１）前記実施例に記載した種類以外の電気ギター、電気弦楽器であるマンドリンやバンジョーのピックアップに装着する出力増大器にも本考案を適用可能であり、その場合それらのピックアップに適合するような配列の１又は複数の永久磁石片を備えた出力増大器とする。その他の電気弦楽器にも本考案の出力増大器を適用可能である。
【００５４】
２）出力増大器の基板の両端側部分を薄いスペーサ等を介してピックアップの下面板の下面に接着固定してもよい。或いは、基板の両端側部分にピックアップの下面板の下面に接着固定するための固定部を形成してもよい。
【００５５】
３）その他、当業者ならば、前記実施例に種々の変更を付加した形態で本考案を実施可能であり、本考案はそれらの形態も包含するものである。
【符号の説明】
【００５６】
１      エレクトリックギター
７，８，８Ａ，９      ピックアップ
１      エレクトリックギター
１Ｅ    エレクトリックベースギター
１７，１７Ａ    ポールピース
１８     ピックアップコイル 
２０，２０Ａ〜２０Ｆ      出力増大器
２１，２１Ａ〜２１Ｆ      基板
２１ａ     装着孔
２２      永久磁石片
２３      バー状永久磁石
【図１】
0003197962.tif 000003
【図２】
0003197962.tif 000004
【図３】
0003197962.tif 000005
【図４】
0003197962.tif 000006
【図５】
0003197962.tif 000007
【図６】
0003197962.tif 000008
【図７】
0003197962.tif 000009
【図８】
0003197962.tif 000010
【図９】
0003197962.tif 000011
【図１０】
0003197962.tif 000012
【図１１】
0003197962.tif 000013
【図１２】
0003197962.tif 000014
【図１３】
0003197962.tif 000015
【図１４】
0003197962.tif 000016